(57)【要約】      （修正有）【課題】壁面ひび割れ変化検知器を提供する。【解決手段】この壁面ひび割れ変化検知器は、検出対象位置に貼設された検出面を有する筐体１０と、固定構造であって、筐体が固定構造により検出対象位置に取り付けられ、かつ動かないように保持される固定構造と、筐体内に検出端が検出面に向かうように設置された少なくとも１つの画像センサー２０と、筐体内に検出面に向かうように設置された光源３０と、画像センサーに接続されたひび割れ変化検知部４０と、ひび割れ変化検知部に接続され、表示、記憶記録、警報のうちの少なくとも１種の方式で出力する出力装置とを含む。【選択図】図１
0003221635.tif 000002
【実用新案登録請求の範囲】
【請求項１】
検出対象位置に貼設された検出面を有する筐体（１０）と、
固定構造であって、前記筐体（１０）が前記固定構造により前記検出対象位置に取り付けられ、かつ動かないように保持される固定構造と、
前記筐体（１０）内に検出端が前記検出面に向かうように設置された少なくとも１つの画像センサー（２０）と、
前記筐体（１０）内に前記検出面に向かうように設置され、複数であり、かつ前記画像センサー（２０）の上下両側にそれぞれ１つ設置され、前記検出対象位置の壁面とひび割れに照射し、前記画像センサー（２０）が前記壁面とひび割れ箇所の輝度レベルラインを収集する光源（３０）と、
前記画像センサー（２０）に接続され、第１の所定の時間間隔に基づいて前記画像センサー（２０）が収集した前記輝度レベルラインを受信して記憶し、かつ第２の所定の時間間隔に基づいて前後の任意の二組の前記輝度レベルラインを比較して前記検出対象位置でのひび割れの幅変化データを取得するひび割れ変化検知部（４０）と、
前記ひび割れ変化検知部（４０）に接続され、表示、記憶記録、警報のうちの少なくとも１種の方式で出力する出力装置（５０）と、
を含むことを特徴とする壁面ひび割れ変化検知器。
【請求項２】
前記筐体（１０）は、横方向に沿って動力領域及び検出領域に分けられ、前記検出領域は、収集領域及び処理領域を含み、前記処理領域は、前記収集領域の上方又は下方に位置し、前記画像センサー（２０）及び前記光源（３０）は、前記収集領域に位置し、前記ひび割れ変化検知部（４０）は、前記処理領域に位置し、前記壁面ひび割れ変化検知器は、前記動力領域に位置し、かつ前記画像センサー（２０）、前記光源（３０）及び前記ひび割れ変化検知部（４０）に給電するバッテリパック（４３）を含むことを特徴とする請求項１に記載の壁面ひび割れ変化検知器。
【請求項３】
前記壁面ひび割れ変化検知器はさらに、前記バッテリパック（４３）によって給電され、前記画像センサー（２０）、前記光源（３０）、前記ひび割れ変化検知部（４０）及び前記出力装置（５０）と接続され、かつ第３の所定の時間に基づいて壁面ひび割れ変化検知器の起動と停止を制御するスイッチング回路を含むことを特徴とする請求項２に記載の壁面ひび割れ変化検知器。
【請求項４】
前記画像センサー（２０）及び前記光源（３０）は、いずれも複数であり、かつ複数の前記画像センサー（２０）及び複数の前記光源（３０）は、順に交互に配列して設置され、複数の前記画像センサー（２０）は、それぞれ前記ひび割れ変化検知部（４０）に接続されることを特徴とする請求項１に記載の壁面ひび割れ変化検知器。
【請求項５】
前記画像センサー（２０）の解像度は、２００ＤＰＩ以上であることを特徴とする請求項１に記載の壁面ひび割れ変化検知器。
【請求項６】
前記光源（３０）は、可視光及び／又は不可視光を発射するＬＥＤ光源であることを特徴とする請求項１に記載の壁面ひび割れ変化検知器。
【請求項７】
複数のライン走査周期内に前記画像センサー（２０）が収集した、クロック信号と同期する走査ルートの輝度値の変化は、前記輝度レベルラインを形成することを特徴とする請求項１〜６のいずれか一項に記載の壁面ひび割れ変化検知器。
【請求項８】
前記ひび割れ変化検知部（４０）は、
前記第１の所定の時間及び前記第２の所定の時間を設定して計時するクロックユニットと、
前記画像センサー（２０）が収集した前記輝度レベルラインを受信して記憶するデータ記憶ユニット（４１）と、
前後の任意の二組の収集された前記輝度レベルラインに対して差分計算を行って、前記検出対象位置でのひび割れの幅変化データを取得する演算ユニット（４２）と、
を含むことを特徴とする請求項１〜６のいずれか一項に記載の壁面ひび割れ変化検知器。
【請求項９】
前記データ記憶ユニット（４１）は、前記画像センサー（２０）が第１回に収集した前記輝度レベルラインを記憶する第１の記憶装置（４１１）と、前記画像センサー（２０）が第１回以外の毎回に収集した前記輝度レベルラインを記憶する第２の記憶装置（４１２）と、を含み、
前記演算ユニット（４２）は、前記第１の記憶装置（４１１）及び前記第２の記憶装置（４１２）の前記輝度レベルラインに対して差分計算を行って、現在の前記検出対象位置でのひび割れの幅変化データを取得することを特徴とする請求項８に記載の壁面ひび割れ変化検知器。
【請求項１０】
前記出力装置（５０）は、前記ひび割れの幅変化データを送受信する無線制御部（５１）を含むことを特徴とする請求項１〜６のいずれか一項に記載の壁面ひび割れ変化検知器。
【請求項１１】
前記無線制御部（５１）は、
無線ネットワーク（５１１）と、
前記ひび割れの幅変化データを受信する無線制御本体（５１２）と、
前記無線制御本体（５１２）に接続され、かつ前記無線ネットワーク（５１１）を介して前記ひび割れの幅変化データを外部に送信するアンテナ（５１３）と、
を含むことを特徴とする請求項１０に記載の壁面ひび割れ変化検知器。
【請求項１２】
前記出力装置（５０）はさらに、
前記無線制御部（５１）が送信した前記ひび割れの幅変化データを記憶するデータベース（５２）と、
前記ひび割れの幅変化データを分析し、前記データベース（５２）における前記ひび割れの幅変化データが警報値を超えると、提示を発するコンピュータ端末（５３）と、
を含むことを特徴とする請求項１０に記載の壁面ひび割れ変化検知器。
【請求項１３】
前記コンピュータ端末（５３）は、ディスプレイ、警報ブザー及び警報ランプのうちの少なくとも１種を含むことを特徴とする請求項１２に記載の壁面ひび割れ変化検知器。
【考案の詳細な説明】
【技術分野】
【０００１】
本考案は、ひび割れ検出設備の分野に関し、具体的には、壁面ひび割れ変化検知器に関する。
【背景技術】
【０００２】
コンクリートは、ビル、鉄橋、トンネルなど様々なコンクリート建物に使用される材料として、その応用がますます広くなっている。しかしながら、コンクリートは、使用経過年数が増加するに連れて、ひび割れが発生し、そして雨水がひび割れ内に浸透して壁体をさらに悪化させて、建物の強度を低下させることがある。このため、建物をメンテナンスする必要があるが、いつメンテナンスするかについては、ひび割れの状態を常に把握する必要がある。
【０００３】
現在、コンクリートのひび割れを検査するとき、作業員が現場でスケールでひび割れの幅を直接測定するか又はデジタルカメラでひび割れを現場で撮影した後に、測定結果を管理センターに持ち帰って分析してから対応するメンテナンスを行うか否かを決定する必要がある。
【０００４】
現在の検出方法は、壁面にひび割れが発生する時の壁面のひび割れの状態を撮影することであり、建物がメンテナンスを必要とする状態になったか否かについて、定期的に現場で測定する必要があり、実行が非常に煩雑である。また、どの装置であっても、同一の位置で壁面のひび割れを測定しにくく、ひび割れの状態がどのように変化したか、及び測定を継続する必要があるか否かを正確に判断することができない。
【０００５】
上記から分かるように、従来技術では壁面ひび割れ変化検知器が同一の位置を継続的に検知しにくいという問題がある。
【考案の概要】
【考案が解決しようとする課題】
【０００６】
本考案の主な目的は、壁面ひび割れ変化検知器を提供することにより、従来技術における壁面ひび割れ変化検知器が同一の位置を継続的に検知しにくいという問題を解決することである。
【課題を解決するための手段】
【０００７】
上記目的を達成するために、本考案の一態様は、検出対象位置に貼設された検出面を有する筐体と、固定構造であって、筐体が固定構造により検出対象位置に取り付けられ、かつ動かないように保持される固定構造と、筐体内に検出端が検出面に向かうように設置された少なくとも１つの画像センサーと、筐体内に検出面に向かうように設置され、複数であり、かつ画像センサーの上下両側にそれぞれ１つ設置され、検出対象位置の壁面とひび割れに照射し、画像センサーが壁面とひび割れでの輝度レベルラインを収集する光源と、画像センサーに接続され、第１の所定の時間間隔に基づいて画像センサーが収集した輝度レベルラインを受信して記憶し、かつ第２の所定の時間間隔に基づいて前後の任意の二組の輝度レベルラインを比較して検出対象位置でのひび割れの幅変化データを取得するひび割れ変化検知部と、ひび割れ変化検知部に接続され、表示、記憶記録、警報のうちの少なくとも１種の方式で出力する出力装置とを含む壁面ひび割れ変化検知器を提供する。
【０００８】
筐体は、横方向に沿って動力領域及び検出領域に分けられ、検出領域は、収集領域及び処理領域を含み、かつ処理領域は、収集領域の上方又は下方に位置し、画像センサー及び光源は、収集領域に位置し、ひび割れ変化検知部は、処理領域に位置し、壁面ひび割れ変化検知器は、動力領域に位置し、かつ画像センサー、光源及びひび割れ変化検知部に給電するバッテリパックを含む。
【０００９】
壁面ひび割れ変化検知器はさらに、バッテリパックによって給電され、画像センサー、光源、ひび割れ変化検知部及び出力装置と接続され、かつ第３の所定の時間に基づいて壁面ひび割れ変化検知器の起動と停止を制御するスイッチング回路を含む。
【００１０】
画像センサー及び光源は、いずれも複数であり、かつ複数の画像センサー及び複数の光源は、順に交互に配列して設置され、複数の画像センサーは、それぞれひび割れ変化検知部に接続される。
【００１１】
画像センサーの解像度は、２００ＤＰＩ以上である。
【００１２】
光源は、可視光及び／又は不可視光を発射するＬＥＤ光源である。
【００１３】
複数のライン走査周期内に画像センサーが収集した、クロック信号と同期する走査ルートの輝度値の変化は、輝度レベルラインを形成する。
【００１４】
ひび割れ変化検知部は、第１の所定の時間及び第２の所定の時間を設定して計時するクロックユニットと、画像センサーが収集した輝度レベルラインを受信して記憶するデータ記憶ユニットと、前後の任意の二組の収集された輝度レベルラインに対して差分計算を行って、検出対象位置でのひび割れの幅変化データを取得する演算ユニットとを含む。
【００１５】
データ記憶ユニットは、画像センサーが第１回に収集した輝度レベルラインを記憶する第１の記憶装置と、画像センサーが第１回以外の毎回に収集した輝度レベルラインを記憶する第２の記憶装置とを含み、演算ユニットは、第１の記憶装置及び第２の記憶装置の輝度レベルラインに対して差分計算を行って、現在の検出対象位置でのひび割れの幅変化データを取得する。
【００１６】
出力装置は、ひび割れの幅変化データを送受信する無線制御部を含む。
【００１７】
無線制御部は、無線ネットワークと、ひび割れの幅変化データを受信する無線制御本体と、無線制御本体に接続され、かつ無線ネットワークを介してひび割れの幅変化データを外部に送信するアンテナとを含む。
【００１８】
出力装置はさらに、無線制御部が送信したひび割れの幅変化データを記憶するデータベースと、ひび割れの幅変化データを分析し、データベースにおけるひび割れの幅変化データが警報値を超えると、提示を発するコンピュータ端末とを含む。
【００１９】
また、コンピュータ端末は、ディスプレイ、警報ブザー及び警報ランプのうちの少なくとも１種を含む。
【００２０】
本考案の技術手段によると、本願の壁面ひび割れ変化検知器は、筐体、固定構造、少なくとも１つの画像センサー、光源、ひび割れ変化検知部及び出力装置を含む。筐体は、検出対象位置に貼設された検出面を有し、筐体は、固定構造により検出対象位置に取り付けられ、かつ動かないように保持され、画像センサーは、筐体内にその検出端が検出面に向かうように設置され、光源は、筐体内に検出面に向かうように設置され、光源は、複数であり、かつ画像センサーの上下両側にそれぞれ１つの光源が設置され、検出対象位置の壁面とひび割れに照射し、画像センサーが壁面とひび割れ箇所の輝度レベルラインを収集し、ひび割れ変化検知部は、画像センサーに接続され、第１の所定の時間間隔に基づいて画像センサーが収集した輝度レベルラインを受信して記憶し、かつ第２の所定の時間間隔に基づいて前後の任意の二組の輝度レベルラインを比較して検出対象位置でのひび割れの幅変化データを取得し、出力装置は、ひび割れ変化検知部に接続され、表示、記憶記録、警報のうちの少なくとも１種の方式で出力する。
【考案の効果】
【００２１】
上記構造の壁面ひび割れ変化検知器を使用するとき、光源を使用して検出対象位置に照射し、かつ画像センサーにより検出対象位置の画像を取得することにより、ひび割れ変化検知部に検出対象位置の輝度レベルラインを送信することができ、ひび割れ変化検知部は、輝度レベルラインを受信すると、二組の異なる輝度レベルラインを記憶して処理し、同時に対応する時間間隔内のひび割れの同一の位置での幅変化を計算することができる。また、ひび割れ変化検知部はさらに、計算を完了した後に、計算したデータを出力装置に送信することができ、出力装置が受信したデータが設定値を超えると、作業者に提示を発することができる。また、壁面ひび割れ変化検知器がさらに筐体及び固定構造を有するため、壁面ひび割れ変化検知器における画像センサー、光源、ひび割れ変化検知部などの構造を筐体内部に設置し、かつ固定構造により検出対象位置に固定することができ、それによりひび割れの同一の位置を長期的に複数回検出することができる。
【図面の簡単な説明】
【００２２】
本願の一部となる図面は、本考案をさらに明確に理解するために提供され、本考案の例示的な実施例及びそれらの説明は、本考案を解釈するために用いられるが、本考案を限定するものではない。
【図１】本考案の１つの具体的な実施例に係る壁面ひび割れ変化検知器の構造概略図である。
【図２】検出対象壁面の構造概略図である。
【図３】図２におけるひび割れを検出して取得された動作説明用タイミングチャートである。
【図４】図２におけるひび割れが広くなった後の構造概略図である。
【図５】図４におけるひび割れを検出して取得された動作説明用タイミングチャートである。
【図６】図３及び図５における動作説明用タイミングチャートに対して差分計算を行って取得された動作説明用タイミングチャートである。
【図７】図１における壁面ひび割れ変化検知器の局所斜視図である。
【図８】図１における壁面ひび割れ変化検知器の筐体を鉄筋コンクリートに取り付ける場合の概略図である。
【図９】図１における壁面ひび割れ変化検知器の筐体を橋桁に取り付ける場合の概略図である。
【図１０】本考案の別の実施例では画像センサー及び光源がいずれも複数ある場合の分布概略図である。
【図１１】図１０における壁面ひび割れ変化検知器に適用する検出対象壁面の概略図である。
【００２３】
そのうち、上記図面は、以下の符号を含む。
【００２４】
１０：筐体  ２０：画像センサー  ３０：光源  ４０：ひび割れ変化検知部  ４１：データ記憶ユニット  ４１１：第１の記憶装置  ４１２：第２の記憶装置  ４２：演算ユニット  ４３：バッテリパック  ５０：出力装置  ５１：無線制御部  ５１１：無線ネットワーク  ５１２：無線制御本体  ５１３：アンテナ  ５２：データベース  ５３：コンピュータ端末。
【考案を実施するための形態】
【００２５】
説明すべきこととして、本願の実施例と実施例の特徴は、矛盾しない限り、互いに組み合わせることができる。以下、図面を参照しながら実施例を組み合わせて本考案を詳細に説明する。
【００２６】
指摘すべきこととして、別途記載されない限り、本願で使用されるすべての技術的及び科学的用語は、本願が属する分野の当業者に一般的に理解されるものと同じ意味を有する。
【００２７】
本考案において、相反する記載がない限り、使用している方向語彙、例えば「上、下、頂、底」は、一般的に、図面において示した方向、又は部品本体が縦、垂直または重力方向にあることを指すものであり、同様に、理解と説明の便宜上に、「内、外」は、各部材本体の輪郭に対する内、外を指すが、上記方向語彙が本考案を制限するものではない。
【００２８】
従来技術における壁面ひび割れ変化検知器が同一の位置を継続的に検知しにくいという問題を解決するために、本願は壁面ひび割れ変化検知器を提供する。
【００２９】
図１及び図７に示すように、本願の壁面ひび割れ変化検知器は、筐体１０、固定構造、少なくとも１つの画像センサー２０、光源３０、ひび割れ変化検知部４０及び出力装置５０を含む。筐体１０は、検出対象位置に貼設された検出面を有し、筐体１０は、固定構造により検出対象位置に取り付けられ、かつ動かないように保持され、画像センサー２０は、筐体１０内にその検出端が検出面に向かうように設置される。
光源３０は、筐体１０内に検出面に向かうように設置され、光源３０は、複数であり、かつ画像センサー２０の上下両側にそれぞれ１つの光源３０が設置され、検出対象位置の壁面とひび割れに照射し、画像センサー２０が壁面とひび割れ箇所の輝度レベルラインを収集する。ひび割れ変化検知部４０は、画像センサー２０に接続され、第１の所定の時間間隔に基づいて画像センサー２０が収集した輝度レベルラインを受信して記憶し、かつ第２の所定の時間間隔に基づいて前後の任意の二組の輝度レベルラインを比較して検出対象位置でのひび割れの幅変化データを取得する。出力装置５０は、ひび割れ変化検知部４０に接続され、表示、記憶記録、警報のうちの少なくとも１種の方式で出力する。
【００３０】
上記構造の壁面ひび割れ変化検知器を使用するとき、光源３０を使用して検出対象位置に照射し、かつ画像センサー２０により検出対象位置の画像を取得することにより、ひび割れ変化検知部４０に検出対象位置の輝度レベルラインを送信することができ、ひび割れ変化検知部４０は、輝度レベルラインを受信すると、二組の異なる輝度レベルラインを記憶して処理し、同時に対応する時間の間隔内のひび割れの同一の位置の幅変化を計算することができる。
【００３１】
また、ひび割れ変化検知部４０はさらに、計算を完了した後に、計算したデータを出力装置５０に送信することができ、出力装置５０が受信したデータが設定値を超えると、作業者に提示を発することができる。また、壁面ひび割れ変化検知器がさらに筐体１０及び固定構造を有するため、壁面ひび割れ変化検知器における画像センサー２０、光源３０、ひび割れ変化検知部４０などの構造を筐体１０の内部に設置し、かつ固定構造により検出対象位置に固定することができ、それによりひび割れの同一の位置を長期的に複数回検出することができる。
【００３２】
１つの具体的な実施例では、選用された筐体１０のサイズは、１０ｃｍ横＊５ｃｍ縦＊３ｃｍ高さに達することができる。
【００３３】
図７に示すように、筐体１０は、横方向に沿って動力領域及び検出領域に分けられ、検出領域は、収集領域及び処理領域を含み、かつ処理領域は、収集領域の上方又は下方に位置し、画像センサー２０及び光源３０は、収集領域に位置し、ひび割れ変化検知部４０は、処理領域に位置し、壁面ひび割れ変化検知器は、動力領域に位置し、かつ画像センサー２０、光源３０及びひび割れ変化検知部４０に給電するバッテリパック４３を含む。このように設置することにより、筐体１０の内部の構造がよりコンパクトになることができ、それにより筐体１０の更なる小型化を保証することができる。さらに壁面ひび割れ変化検知器をビル、高速道路、橋梁及びトンネルの壁面の複数の位置で容易に取り付けることができる。
【００３４】
図８は、壁面ひび割れ変化検知器を鉄筋コンクリートに取り付ける場合の取り付け概略図であり、接着剤又は鉄筋コンクリートに拡大ねじを打つことなどの通常の方法でしっかりと固定する。また，筐体の周囲を遮蔽材料で覆い、外部光の照射及び雨水の浸入を防止し、壁面ひび割れ変化検知器の長時間使用を確保することができる。図９は、同様な方法で壁面ひび割れ変化検知器を橋桁に取り付ける場合の取り付け概略図である。
【００３５】
好ましくは、壁面ひび割れ変化検知器はさらに、バッテリパック４３によって給電され、画像センサー２０、光源３０、ひび割れ変化検知部４０及び出力装置５０と接続され、かつ第３の所定の時間に基づいて壁面ひび割れ変化検知器の起動と停止を制御するスイッチング回路を含む。このように設置することにより、非測定時間内に、画像センサー２０、光源３０、ひび割れ変化検知部４０及び出力装置５０へのバッテリパック４３の電力供給を停止し、それによりバッテリパック４３の使用時限を延長することができる。
【００３６】
好ましくは、画像センサー２０及び光源３０は、いずれも複数であり、かつ複数の画像センサー２０及び複数の光源３０は、順に交互に配列して設置され、複数の画像センサー２０は、ぞれぞれひび割れ変化検知部４０に接続される。このように設置することにより、壁面のひび割れの複数の位置を同時に検知することができ、さらに壁面ひび割れ変化検知器がより具体的なひび割れ変化情報を検知し得ることができる。
【００３７】
図１０に示すように、このときの画像センサー２０は、３つである。それに応じて、図１１に示すように、画像センサーが３つである場合、同一の壁面１１２のひび割れ１１３の３つの異なる位置（及び３本の異なるひび割れ読み取りライン９０８、９０９及び９１０）を検知することができる。
【００３８】
具体的には、画像センサー２０の解像度は、２００ＤＰＩ以上である。常用の検知要求において、０．２ミリメートル以上のひび割れを管理計画の基本的データとして定期的に検査して記録することが要求されている。０．２ミリメートル以上のひび割れを検出するために必要な画像解像度が少なくとも１２７ＤＰＩ以上であるため、本願では、常用の２００ＤＰＩ以上の解像度の接触型画像センサー２０が選用される。
【００３９】
好ましくは、光源３０は、可視光及び／又は不可視光を発射するＬＥＤ光源である。通常の検知プロセスにおいて、波長が可視光帯域にあるＬＥＤ光源、例えば赤色光、緑色光、青色光などを選択することができる。いくつかの特別な場合に、赤外光、紫外光のＬＥＤ光源を使用して、ひび割れ溝の詳細状態をより詳しく読み取ることができる。
【００４０】
具体的には、複数のライン走査周期内に画像センサー２０が収集した、クロック信号と同期する走査ルートの輝度値の変化は、輝度レベルラインを形成する。
【００４１】
図３及び図５は、画像センサー２０の動作説明用タイミングチャートであり、クロック信号２０１及びライン周期信号２０２を含み、そのうちライン周期信号２０２は、２つのライン走査周期を含む。当然のことながら、ライン周期信号２０２はさらに、複数回の走査を含むことができ、走査の回数は、取得されたデータの一貫性によって決定される。画像センサー２０は、クロック信号２０１と同期するアナログ信号をデジタル信号に変換することにより、デジタル信号を介して輝度レベルライン（即ち、図３における２０３及び図５における４０３）を出力することができ、そのうち輝度レベルが合計２５６個のレベルを含み、かつ暗出力図２０５（輝度レベルが０である）と明出力図２０４（輝度レベルが２５５である）とを対照することにより、輝度レベルラインにおけるひび割れに対応する位置を取得することができる。図２及び図４において、１つのライン走査周期は、ひび割れ読み取りライン１１５を一回走査することを表し、そのうち壁面１１２のひび割れ（及び図２における１１３及び図４における３０１）が時間の変化に伴って変化する。
【００４２】
図３及び図５に示すように、Ａは、ひび割れのない壁面部分であり、Ｂは、壁面における対応するひび割れ部分である。
【００４３】
ひび割れの幅を計算するとき、解像度が３００ＤＰＩの画像センサー２０を使用すると、一つの画素の幅が０．０８５ミリメートルであり、輝度レベルラインにおけるひび割れに対応する幅が３つのクロック信号、即ち３つの画素の幅であれば、ひび割れの幅が０．０８５＊３＝０．２５５ｍｍであると計算することができる。
【００４４】
具体的には、ひび割れ変化検知部４０は、クロックユニット、データ記憶ユニット４１及び演算ユニット４２を含む。クロックユニットにより第１の所定の時間及び第２の所定の時間を設定して計時し、記憶ユニット４１は、画像センサー２０が収集した輝度レベルラインを受信して記憶し、演算ユニット４２は、前後の任意の二組の収集された輝度レベルラインに対して差分計算を行って、検出対象位置でのひび割れの幅変化データを取得する。このように設置することにより、データ記憶ユニット４１は、画像センサー２０が毎回出力したデジタル信号及び輝度レベルラインを記憶することができ、演算ユニット４２は、データ記憶ユニット４１における輝度レベルラインを計算することができ、かつ任意の２回のひび割れの幅の値を計算して対照することにより、対応する時間間隔内のひび割れの幅変化を取得することができる。クロックユニットを設置することにより、ひび割れの検出を制御して計時することができる。
【００４５】
好ましくは、演算ユニット４２において、取得されたひび割れの図像をより鮮やかで明晰にするために、いくつかの敏感補正、エッジ強化、コントラスト比調整などの既知の画像処理技術を組み入れ、それによりより高いひび割れ計算精度を取得することができる。
【００４６】
図６に示すように、二回の検知データに対する演算ユニット４２の対比結果の信号であり、そのうち画像センサー２０の解像度が３００ＤＰＩであり、輝度レベルライン５０３において、ひび割れのない領域に対応する部分がＣであり、ひび割れに対応する位置がＤであり、Ｄの幅が２つのクロック信号、即ち２つの画素に対応し、つまり幅が０．０８５＊２＝０．１７ｍｍ変化し、即ち二回の収集の時間間隔内に、ひび割れの幅が０．１７ｍｍ変化する。
【００４７】
好ましくは、データ記憶ユニット４１は、画像センサー２０が第１回に収集した輝度レベルラインを記憶する第１の記憶装置４１１と、画像センサー２０が第１回以外の毎回に収集した輝度レベルラインを記憶する第２の記憶装置４１２とを含み、演算ユニット４２は、第１の記憶装置４１１及び第２の記憶装置４１２の輝度レベルラインに対して差分計算を行って、現在の検出対象位置でのひび割れの幅変化データを取得する。このように設置することにより、演算ユニット４２は、画像センサー２０が送信したデータに対して容易に差分計算を行うことができ、計算過程において、画像センサー２０が毎回に収集した輝度レベルライオンと第１回に収集した輝度レベルライオンとを対照することにより、ひび割れの即時幅と初期幅との間の変化値を取得することができる。
【００４８】
好ましくは、第２の記憶装置４１２がデータを記憶する方式は、全てのデータを記憶し、又は最近収集したデータで以前のデータをカバーすることであってもよい。
【００４９】
具体的には、出力装置５０は、ひび割れの幅変化データを送受信する無線制御部５１を含む。このように設置することにより、演算ユニット４２は、差分計算を完了した後に、データを無線制御部５１に送信し、かつ無線制御部５１を介して外部に送信することができる。
【００５０】
具体的には、無線制御部５１は、無線ネットワーク５１１、無線制御本体５１２及びアンテナ５１３を含む。無線制御本体５１２は、ひび割れの幅変化データを受信し、アンテナ５１３は、無線制御本体に接続され、かつ無線ネットワーク５１１を介してひび割れの幅変化データを外部に送信する。本願では、選用される無線ネットワーク５１１は、低消費電力の広域無線ネットワーク５１１である。
【００５１】
具体的には、出力装置５０はさらに、データベース５２を含む。データベース５２は、無線制御部５１が送信したひび割れの幅変化データを記憶し、コンピュータ端末５３は、ひび割れの幅変化データを分析し、データベースにおけるひび割れの幅変化データが警報値を超えると、提示を発する。このように設置することにより、データベース５２は、無線制御部５１が送信したひび割れの幅変化データを受信した後に、データを記憶することができる。コンピュータ端末５３を設置することにより、コンピュータ端末５３によりデータベース５２における情報を分析して検知することができる。
【００５２】
好ましくは、コンピュータ端末５３は、ディスプレイ、警報ブザー及び警報ランプのうちの少なくとも１種を含む。
【００５３】
本願では、下記壁面ひび割れ変化検知器を用いてひび割れを検知するひび割れ変化検知方法をさらに提供し、このひび割れ変化検知方法は、ひび割れを検知する前に、壁面ひび割れ変化検知器をひび割れのある壁面に固定し、かつ壁面ひび割れ変化検知器の筐体１０を壁面に貼り合わせ、そして壁面ひび割れ変化検知器の画像センサー２０の走査ルートをひび割れの伸び方向に垂直にすることと、電源をオンにして、壁面ひび割れ変化検知器が初期化設定プロセスを自動的に行い、予め設定されたクロック周波数、ライン走査周期、走査回数、光源３０のオン時間及び画像センサー２０の関連パラメータを画像センサー２０の内部の対応するレジスタに呼び込み、初期化設定を完了することと、壁面ひび割れ変化検知器がひび割れの初期値テストを行う段階において、画像センサー２０を起動して、画像センサー２０が所定の条件に応じてひび割れの幅を走査し、かつ結果を壁面ひび割れ変化検知器のひび割れ変化検知部４０の第１の記憶装置４１１に記憶することと、画像センサー２０がひび割れの幅を走査し続け、かつ結果をひび割れ変化検知部４０の第２の記憶装置４１２に記憶することと、ひび割れ変化検知部４０の演算ユニット４２が第１の記憶装置４１１及び第２の記憶装置４１２に記憶されたデータを演算し、かつ結果をコンピュータ端末５３に送信し、その後に壁面ひび割れ変化検知器が再び待機状態になることとを含む。
【００５４】
さらに、ひび割れの初期幅の測定を完了した後に、壁面ひび割れ変化検知器は、コンピュータ端末５３と通信することができ、まず壁面ひび割れ変化検知器の出力装置５０のソースコードをコンピュータ端末５３に送信し、コンピュータ端末５３は、壁面ひび割れ変化検知器のソースコードを受信すると壁面ひび割れ変化検知器に確認情報を返信し、確認情報を受信した後に出力装置５０が再びひび割れの初期データをコンピュータ端末５３に送信する。
【００５５】
さらに、壁面ひび割れ変化検知器は、一般的な作業手順に入り、まず、壁面ひび割れ変化検知器は、待機状態に入り、壁面ひび割れ変化検知器の一部の機能に関する電源が自動的に切られ、ひび割れ変化検知部４０のクロックユニットが自動的に計時状態に入り、第３の所定の時間間隔に達すると、壁面ひび割れ変化検知器全体は、作動状態に復帰し、画像センサー２０が走査し、かつ走査データを第２の記憶装置４１２に記憶する。
【００５６】
さらに、コンピュータ端末５３は、送信データが異常であると判断すると、壁面ひび割れ変化検知器を随時呼び出すことができ、壁面ひび割れ変化検知器は、呼び出し信号を受信すると再び作動状態に復帰し、かつ再びひび割れの幅を測定し、かつ測定結果を再びコンピュータ端末５３に送信する。
【００５７】
本願では、壁面に新たなひび割れが発生するとき、同様の方法で検知することもできる。
【００５８】
以上の記載から分かるように、本考案の上記実施例は、以下の技術的効果を達成する。
【００５９】
１．壁面ひび割れ変化検知器を使用することにより、作業者が定期的にコンクリート建物の現場に行かなくても、ひび割れの変化状態を定期的に知ることができる。
【００６０】
２．ひび割れ検出作業の過程を短縮する。
【００６１】
３．差分決算により、読み取りデータに含まれる凹凸及び汚れによって生じたノイズ成分が除去され、ひび割れ変化の情報がより正確になる。
【００６２】
４．伝送データの量が小さく、メンテナンス費用が低い。
【００６３】
明らかに、上述された実施例は、全ての実施例ではなく、本考案の一部の実施例に過ぎない。本考案の実施例に基づいて、当業者が創造性のある行為を必要とせずに取得される他の実施例は、すべて本考案の保護範囲に含まれるべきである。
【００６４】
ここで用いられる用語は、本願の例示的な実施形態を限定する意図ではなく、具体的な実施形態を説明するためのものに過ぎないことに注意すべきである。ここで用いられるように、文脈で別途の明確な説明がない限り、単数形式は複数形式をも含み、また、理解すべきこととして、本明細書において用語「含有」及び／又は「含む」を用いる場合、特徴、ステップ、操作、デバイス、組立体及び／又はそれらの組み合わせが存在することを意味する。
【００６５】
なお、本願の明細書、特許請求の範囲及び上記図面中の「第１」、「第２」等の用語は、特定の順又は前後順を説明するものではなく、類似する対象を区別するためのものに過ぎない。ここで説明する本願の実施形態を図面に示すか又は説明した順とは異なる順でも実現できるように、このように使用されるデータは適切な状況で交換可能であることを理解すべきである。
【００６６】
以上は本考案を限定するものではなく、本考案の好ましい実施例に過ぎず、当業者であれば、本考案に様々な変更及び変化を行うことができる。本考案の精神及び原則内において行われるいかなる修正、同等置換、改善等も、いずれも本考案の保護範囲に含まれるべきである。
【図１】
0003221635.tif 000003
【図２】
0003221635.tif 000004
【図３】
0003221635.tif 000005
【図４】
0003221635.tif 000006
【図５】
0003221635.tif 000007
【図６】
0003221635.tif 000008
【図７】
0003221635.tif 000009
【図８】
0003221635.tif 000010
【図９】
0003221635.tif 000011
【図１０】
0003221635.tif 000012
【図１１】
0003221635.tif 000013